(57)【要約】【課題】  仰角載置部を具えた枢軸装置の提供。【解決手段】  爪装置を具えたサポートシートの第１対のサポートアームと第２対のサポートアームに枢軸部が組み合わされ、該枢軸部が枢軸上で同期に作動するラチェット装置と押さえ装置を具え、該爪装置のラチェット爪が所定角度のエリアにあって、接触或いは分離の弾性揺動を行ない、ラチェット装置の対応するラチェット歯に噛み合い、ラチェット装置に十分な係止能力を提供し、枢軸上の付加が大き過ぎて逆方向に回転してその有するべき支持力を失うのを防止する。【選択図】        図１
0003106739.tif 000002
【実用新案登録請求の範囲】
【請求項１】
サポートシートの第１対サポートアームと第２対サポートアームの軸孔に枢軸部が取り付けられた仰角載置部を具えた枢軸装置において、
該枢軸部が枢軸と該枢軸に組み合わされて同期回転するラチェット装置及び押さえ手段を粗な背、別に爪装置が少なくとも一つのサポートアームに枢設され、該爪装置のラチェット爪がラチェット装置の回転中に対応するラチェット歯に噛み合い、且つ爪装置とラチェット装置の接触或いは分離の弾性回転動作の間に、噛み合いによる位置制限支持と離脱回転の操作を発生することを特徴とする、仰角載置部を具えた枢軸装置。
【請求項２】
請求項１記載の仰角載置部を具えた枢軸装置において、ラチェット装置の端面に扇形に分布する複数のラチェット歯が設けられ、その後方にラチェット歯より延長された凸塊が設けられ、各ラチェット歯の上方部分に位置制限溝が設けられたことを特徴とする、仰角載置部を具えた枢軸装置。
【請求項３】
請求項２記載の仰角載置部を具えた枢軸装置において、押さえ手段の下端に圧接部が形成され、圧接部の上方側面に横向きに凸アームが延伸形成されたことを特徴とする、仰角載置部を具えた枢軸装置。
【請求項４】
請求項３記載の仰角載置部を具えた枢軸装置において、爪装置が弾性装置の制御を受けて常態でラチェット装置の方向に弾性回転する趨勢を有し、並びに回転端面にラチェット爪が形成され、且つ該ラチェット爪の側面に横ピンが形成され、ラチェット爪の前方、後方の回転端面に前凸脊と後ろ凸脊が形成されたことを特徴とする、仰角載置部を具えた枢軸装置。
【請求項５】
請求項１から４のいずれかに記載の仰角載置部を具えた枢軸装置において、第１対サポートアームと第２対サポートアームが軸孔を具えた内側サポートアームと外側サポートアームで組成され、並びに各軸孔下方に固定孔が形成されたことを特徴とする、仰角載置部を具えた枢軸装置。
【請求項６】
請求項５記載の仰角載置部を具えた枢軸装置において、枢軸の一端に膨張端部が形成され、もう一端が延伸されて末端にネジ山が形成され、且つ端面に切削平面が形成されて該切削平面に被支持装置の取り付けに供されるネジ孔が設けられたことを特徴とする、仰角載置部を具えた枢軸装置。
【請求項７】
請求項５記載の仰角載置部を具えた枢軸装置において、円孔と横凸片を具えた少なくとも一つの耐摩擦位置決めワッシャが枢軸外端より嵌合され、横凸片が内側サポートアームの固定孔中に挿入されたことを特徴とする、仰角載置部を具えた枢軸装置。
【請求項８】
請求項７記載の仰角載置部を具えた枢軸装置において、枢軸が外端より順に、方形孔を具えたラチェット装置、円孔を具えた押さえ手段、方形孔を具えた耐摩擦ワッシャ、円孔と横凸片を具えた耐摩擦位置決めワッシャを通り、枢軸の圧接面の外側面が内端のラチェット装置の外側面に圧接され、各嵌合装置が圧接面と外側サポートアーム内側面の間に緊迫され、該枢軸が続けて外側サポートアームの外端面に通された後に円孔と横凸片を具えた耐摩擦位置決めワッシャに通され、更に方形孔を具えた耐摩擦ワッシャと方形孔を具えた複数の弾性ワッシャに通され、その後に更に固定装置と螺合されて枢軸に嵌合された各装置とワッシャが緊迫されることを特徴とする、仰角載置部を具えた枢軸装置。
【請求項９】
請求項８記載の仰角載置部を具えた枢軸装置において、方形孔を具えたラチェット装置、耐摩擦ワッシャ、及び弾性ワッシャが枢軸外段の切削平面を具えた部分に嵌合、位置決めされ、並びに枢軸と同期に回転するものとされたことを特徴とする、仰角載置部を具えた枢軸装置。
【考案の詳細な説明】
【技術分野】
【０００１】
本考案は仰角載置部を具えた枢軸装置に係り、特に、簡便に仰角設定が行なえ、もとの位置への復帰が可能で、且つ特殊な枢軸構造により、支持力不足による逆回転を防止できる仰角載置部を具えた枢軸装置に関する。
【背景技術】
【０００２】
伝統的な液晶ディスプレイ或いは電子装置は回転する枢軸装置を器物の仰俯角を調整する装置として使用することが多く、それは本体シート、サポートフレーム、枢軸、ワッシャ及び調整ナット（或いは緊迫装置）等を組み合わせてなり、このような部品は広く工業生産或いは日常生活において各種の液晶ディスプレイ或いは電子装置に使用されている。例えば特許文献１に記載の構造は、本体シート、枢軸装置と回転装置を具え、枢軸装置及び回転装置を利用し、液晶ディスプレイを使用者の必要に応じてその仰俯角及び正面回転角度を調整可能なものとしている。そのうち、本体シート両側が折り曲げられて折辺が形成され、二つの該折辺に中心孔が設けられ、枢軸装置に少なくとも一つの枢軸が設けられて本体シートの二側の折辺に固定され、且つ枢軸に複数のワッシャが嵌合され、回転装置は二つの枢軸装置の間に位置決めされ、それに固定された液晶ディスプレイに施力することで、枢軸装置と回転装置により回転並びに回転後の位置決めが行なえる。
【０００３】
上述の特許文献１に記載の技術は実際の細部構造に関して、各枢軸装置が通常、枢軸、耐摩擦ワッシャ、位置決めワッシャ、蝶形ワッシャを具え、また必要な防滑ナットの螺合が必要であり、部品構成が複雑であり、ゆえに製造コストが高くつき、故障しやすく、全体重量も増し、現代の液晶ディスプレイのコンパクト化の設計傾向に符合しない。それらは通常調整ナット（或いは緊迫装置）の枢軸との螺合の緊緩を調整して回転装置の回転角度を制御し、また使用者が操作上、うっかりして液晶ディスプレイを逆方向に回転させるのを防止している。
【０００４】
上述の技術中の仰角の載置部を具えた枢軸装置は、完全には荷重超過時の逆方向回転を防止することができない。このため、枢軸装置の複雑な部品を簡易化し、その全体重量を軽量化し、或いは空間形態上の設計を改良してもとの位置に回復する機能を賦与し、新たに必要に応じて仰角を調整並びに保持できるようにし、荷重が大きい時の逆方向回転現象を防止できるようにすることが必要である。
【０００５】
【特許文献１】台湾実用新案公告第４６７２９５号明細書
【考案の開示】
【考案が解決しようとする課題】
【０００６】
本考案の主要な目的は、一種の仰角載置部を具えた枢軸装置を提供することにあり、それは、もとの位置への復帰、更に新たに必要に応じて所定仰角に調整するのに便利で、特定仰角に保持する時、荷重に耐えられず逆回転を発生する欠点を防止した装置であるものとする。
【課題を解決するための手段】
【０００７】
請求項１の考案は、サポートシートの第１対サポートアームと第２対サポートアームの軸孔に枢軸部が取り付けられた仰角載置部を具えた枢軸装置において、
該枢軸部が枢軸と該枢軸に組み合わされて同期回転するラチェット装置及び押さえ手段を粗な背、別に爪装置が少なくとも一つのサポートアームに枢設され、該爪装置のラチェット爪がラチェット装置の回転中に対応するラチェット歯に噛み合い、且つ爪装置とラチェット装置の接触或いは分離の弾性回転動作の間に、噛み合いによる位置制限支持と離脱回転の操作を発生することを特徴とする、仰角載置部を具えた枢軸装置としている。
請求項２の考案は、請求項１記載の仰角載置部を具えた枢軸装置において、ラチェット装置の端面に扇形に分布する複数のラチェット歯が設けられ、その後方にラチェット歯より延長された凸塊が設けられ、各ラチェット歯の上方部分に位置制限溝が設けられたことを特徴とする、仰角載置部を具えた枢軸装置としている。
請求項３の考案は、請求項２記載の仰角載置部を具えた枢軸装置において、押さえ手段の下端に圧接部が形成され、圧接部の上方側面に横向きに凸アームが延伸形成されたことを特徴とする、仰角載置部を具えた枢軸装置としている。
請求項４の考案は、請求項３記載の仰角載置部を具えた枢軸装置において、爪装置が弾性装置の制御を受けて常態でラチェット装置の方向に弾性回転する趨勢を有し、並びに回転端面にラチェット爪が形成され、且つ該ラチェット爪の側面に横ピンが形成され、ラチェット爪の前方、後方の回転端面に前凸脊と後ろ凸脊が形成されたことを特徴とする、仰角載置部を具えた枢軸装置としている。
請求項５の考案は、請求項１から４のいずれかに記載の仰角載置部を具えた枢軸装置において、第１対サポートアームと第２対サポートアームが軸孔を具えた内側サポートアームと外側サポートアームで組成され、並びに各軸孔下方に固定孔が形成されたことを特徴とする、仰角載置部を具えた枢軸装置としている。
請求項６の考案は、請求項５記載の仰角載置部を具えた枢軸装置において、枢軸の一端に膨張端部が形成され、もう一端が延伸されて末端にネジ山が形成され、且つ端面に切削平面が形成されて該切削平面に被支持装置の取り付けに供されるネジ孔が設けられたことを特徴とする、仰角載置部を具えた枢軸装置としている。
請求項７の考案は、請求項５記載の仰角載置部を具えた枢軸装置において、円孔と横凸片を具えた少なくとも一つの耐摩擦位置決めワッシャが枢軸外端より嵌合され、横凸片が内側サポートアームの固定孔中に挿入されたことを特徴とする、仰角載置部を具えた枢軸装置としている。
請求項８の考案は、請求項７記載の仰角載置部を具えた枢軸装置において、枢軸が外端より順に、方形孔を具えたラチェット装置、円孔を具えた押さえ手段、方形孔を具えた耐摩擦ワッシャ、円孔と横凸片を具えた耐摩擦位置決めワッシャを通り、枢軸の圧接面の外側面が内端のラチェット装置の外側面に圧接され、各嵌合装置が圧接面と外側サポートアーム内側面の間に緊迫され、該枢軸が続けて外側サポートアームの外端面に通された後に円孔と横凸片を具えた耐摩擦位置決めワッシャに通され、更に方形孔を具えた耐摩擦ワッシャと方形孔を具えた複数の弾性ワッシャに通され、その後に更に固定装置と螺合されて枢軸に嵌合された各装置とワッシャが緊迫されることを特徴とする、仰角載置部を具えた枢軸装置としている。
請求項９の考案は、請求項８記載の仰角載置部を具えた枢軸装置において、方形孔を具えたラチェット装置、耐摩擦ワッシャ、及び弾性ワッシャが枢軸外段の切削平面を具えた部分に嵌合、位置決めされ、並びに枢軸と同期に回転するものとされたことを特徴とする、仰角載置部を具えた枢軸装置としている。
【考案の効果】
【０００８】
本考案は仰角載置部を具えた枢軸装置を提供し、それは、もとの位置への復帰、更に新たに必要に応じて所定仰角に調整するのに便利で、特定仰角に保持する時、荷重に耐えられず逆回転を発生する欠点を防止する。
【考案を実施するための最良の形態】
【０００９】
本考案は、サポートシートの第１対サポートアームと第２対サポートアームの軸孔に枢軸部が取り付けられた仰角載置部を具えた枢軸装置において、該枢軸部が枢軸、ラチェット装置、押さえ装置、爪装置と複数のワッシャで構成され、そのうち、ラチェット装置、押さえ装置、爪装置と複数のワッシャは枢軸に嵌合され、爪装置がサポートシートの凹口上方に位置し、並びに少なくとも一つのサポートアームの側面に枢設され、該爪装置の爪は押さえ装置の凸アームのラチェット装置の案内溝中への進入を受けて相互に牽引制御され、接触或いは分離の弾性回転動作間にラチェット装置のラチェット歯に対応し噛み合い、使用時にラチェット装置を前向きに漸次同期回転させて位置決めし、且つ最終点位置に至り、その後、ラチェット装置を後ろ向きに回転させ、この時、ラチェット装置と爪装置が分離し、続いて回転して爪装置をラチェット装置の開始点位置に噛み合わせる。こうしてラチェット歯に再度所定角度の前向き回転を行なわせ、且つこれに応じて位置決めし、並びにラチェット装置が逆方向荷重により自動的に開始点に回転して戻るのを防止し、特に壁掛け式のフラットディスプレイの懸吊への使用に適合するものとされる。
【実施例１】
【００１０】
図１から３に示されるように、本考案の仰角載置部を具えた枢軸装置は、サポートシート１０より上向きに、対応する軸孔１０１を具えた第１対サポートアーム２０と該第１対サポートアーム２０に対応しそれと離間するよう配置されて対応する軸孔１０１を具えた第２対サポートアーム３０が延伸され、並びに第１対サポートアーム２０と第２対サポートアーム３０の軸孔１０１にそれぞれ枢軸部４０が設けられている。各対サポートアーム２０、３０は軸孔１０１を具えた内側サポートアーム２１、３１と外側サポートアーム２２、３２で構成され、並びに各軸孔１０１の下方に固定孔１０２が形成されている。
【００１１】
上述の枢軸部４０は枢軸４１、ラチェット装置４２、押さえ装置４３、爪装置４４及び複数のワッシャ５１、５２、５３で構成されている。そのうち、ラチェット装置４２、押さえ装置４３、爪装置と複数のワッシャ５１、５２、５３は枢軸４１に嵌合されている。該爪装置４４はラチェット装置４２に対応し外側サポートアーム２２、３２の側面部分に枢設され、並びに弾性装置４５の制御を受けて所定方向の定方向弾性回転を発生する。ラチェット装置４２の下端面に扇形を呈するよう分布された複数のラチェット歯４２１が設けられ、これら扇形分布を呈するラチェット歯４２１の後方に下向きに各ラチェット歯４２１よりも突出するよう延伸された凸塊４２２が設けられ、複数のラチェット歯４２１の上方のラチェット装置４２に位置制限溝４２３が設けられている。該押さえ装置４３の下端に突出する圧接部４３１が設けられ、該圧接部４３１の上方の押さえ装置４３の側面に横向きに凸アーム４３２が延設され、該凸アーム４３２は組立時に上述の位置制限溝４２３中に進入する。爪装置４４は回転端面前端にラチェット爪４４１、前凸脊４４４及び後ろ凸脊４４３が形成され、該ラチェット爪４４１が前凸脊４４４と後ろ凸脊４４３の間に形成され、且つ上述の複数のラチェット歯４２１中に係合され、ラチェット装置４２が制動される。ラチェット爪４４１の側面に横ピン４４２が形成されて上述の圧接部４３１と接触し、上述のラチェット爪４４１の前方と後方に、前凸脊４４４と後ろ凸脊４４３が形成され、そのうち後ろ凸脊４４３の後ろ脊面が、回転中にラチェット装置４２の凸アーム４３２、及びサポートシート１０の凹口１０３後端表面に圧接され、前凸脊４４４はまた前向きに回転して前終点に至る時、サポートシート１０の凹口１０３前方表面に圧接される。
【００１２】
図２に示されるように、枢軸４１の一端に膨張端部４１１が形成され、もう一つの端部４１３は延伸されて内側と外側サポートアーム３１、３２を貫通した後にネジ山４１４が設けられて固定装置５４に螺合される。枢軸４１の膨張端部４１１と内側サポートアーム３１の間に、少なくとも一つのネジ孔４１５が設けられて液晶ディスプレイ或いはその他の被支持装置６０を取り付けるのに用いられ、上述のネジ山４１４を具えた端部に切削平面４１６が設けられ、且つ複数のワッシャ５１、５２、５３は、円孔と横凸片を具えた耐摩擦位置決めワッシャ５１、方形孔を具えた耐摩擦ワッシャ５２、及び方形孔を具えた弾性ワッシャ５３で構成されている。
【００１３】
上述の枢軸４１は外端より円孔と横凸片５１１を具えた耐摩擦位置決めワッシャ５１に通され、並びに横凸片５１１が内側サポートアーム３１の固定孔１０２中に通され、更に枢軸４１は内側サポートアーム３１の軸孔１０１に通され、前述の耐摩擦位置決めワッシャ５１が枢軸４１の膨張端部４１１と内側サポートアーム３１の内側面の間で緊迫位置決めされる。その後、内側サポートアーム３１の外側面と外側サポートアーム３２の内側面の間に、方形孔を具えたラチェット装置４２、円形孔を具えた押さえ装置４３、方形孔を具えた耐摩擦ワッシャ５２、及び円孔と横凸片を具えた耐摩擦位置決めワッシャ５１に通され、且つ枢軸４１の圧接面４１２の外側面が内端のラチェット装置４２の外側面に圧接され、並びに外端の耐摩擦位置決めワッシャ５１の横凸片５１１が外側サポートアーム３２の内側面の固定孔１０２中に進入し、前述の各嵌合装置が圧接面４１２と外側サポートアーム３２の内側面の間に緊迫される。該枢軸４１は続いて外側サポートアーム３２の外端面に通された後に円孔と横凸片を具えた耐摩擦位置決めワッシャ５１を通り、並びに外端の耐摩擦位置決めワッシャ５１の横凸片５１１が外側サポートアーム３２の外側面の固定孔１０２中に進入し、更に方形孔を具えた耐摩擦ワッシャ５２と方形孔を具えた複数の弾性ワッシャ５３に通され、その後、調整ナットのような固定装置５４と螺合されて上述の枢軸４１に嵌合された各装置或いはワッシャが緊迫される。更に、図３に示されるように、第１対サポートアーム２０の枢軸部４０の組合せ方式は第２対サポートアーム３０の枢軸部４０と類似するため重複した説明は行なわず、また上述の装置或いはワッシャの方形孔を具備するものは、枢軸４１の外段の切削平面４１６を具えた部分に嵌合、位置決めされ、並びに枢軸４１と同期に回転する。
【００１４】
図４は本考案の枢軸部４０の連動方式を示し、それに提示される好ましい実施例の未回転の初期状態では上述の爪装置４４のラチェット爪４４１は開始状態においてラチェット装置４２の起点位置４２１１を係止している。回転時、ラチェット装置４２は枢軸４１に伴い前向きに回転して所定角度位置に至り（図５中のＡ）、この時、被支持装置６０の荷重を受け、枢軸４１に対して逆方向回転の力を発生し、枢軸４１及びラチェット装置４２がいずれも逆方向回転の趨勢を有する。但しラチェット装置４２のラチェット歯４２１の回転の駆動中に、それに噛み合うラチェット爪４４１が爪装置４４に回転の力を発生させ、後ろ凸脊４４３を回転させてサポートシート１０を制圧させ、更なる回転不能となり、これによりラチェット装置４２と枢軸４１及び被支持装置６０がいずれも回転不能となり、十分な支持力が被支持装置６０に提供され、荷重により逆方向回転して下降する現象を発生しない。
【００１５】
図６に示されるように、ラチェット装置４２に逆方向回転させたい時は、先ずラチェット装置４２を前向きに回転させて終点位置４２１２に至らせた後、ラチェット装置４２の凸塊４２２内側に爪装置４４の後ろ凸脊４４３を制圧させ、前凸脊４４４をサポートシート１０の凹口１０３上方の表面に圧接させ、ラチェット装置４２の位置制限溝４２３の牽引を押さえ装置４３の凸アーム４３２に受けさせ、押さえ装置４３の圧接部４３１の下端を爪装置４４の横ピン４４２に圧接させると、ラチェット爪４４１がラチェット装置４２のラチェット歯４２１に対する係止より離脱する。
【００１６】
図７、図４に示されるように、ラチェット爪４４１がラチェット装置４２に対する係止を解除する時、ラチェット爪４４１の横ピン４４２は押さえ装置４３の圧接を受けて回復せず、ラチェット装置４２が束縛を受けない。この時、押さえ装置４３の作用により、前向きにラチェット装置４２が回転方向に向けて回転し、ラチェット装置４２の位置制限溝４２３がラチェット装置４２の復帰起点位置に移動する時、それが押さえ装置４３の凸アーム４３２を牽引して回転方向に向けて移動させ、押さえ装置４３の圧接部４３１下端が横ピン４４２に対する圧接を解除する。ラチェット装置４２が起点位置４２１１に回復する時、ラチェット爪４４１が更にラチェット装置４２のラチェット歯４２１の起点位置４２１１を係止し（図４中、Ｃ）、ラチェット装置４２が再度選択された支持角度により前向きに回転する。
【００１７】
総合すると、本考案の仰角載置部を具えた枢軸装置は未だ公開使用されておらず、実用新案登録の要件を具備している。なお、以上の実施例は本考案の請求範囲を限定するものではなく、本考案に基づきなしうる細部の修飾或いは改変は、いずれも本考案の請求範囲に属するものとする。
【図面の簡単な説明】
【００１８】
【図１】本考案の全体外観立体図である。
【図２】本考案の立体分解図である。
【図３】本考案のもう一つの立体分解図である。
【図４】本考案の初期未動作状態表示図である。
【図５】本考案の所定角度に調整する時の作動状態表示図である。
【図６】本考案の最終点に調整する時の作動状態表示図である。
【図７】本考案の回転動作状態表示図である。
【符号の説明】
【００１９】
１０  サポートシート
１０１  軸孔
１０２  固定孔
１０３  凹口
２０  第１対サポートアーム
２１  内側サポートアーム
２２  外側サポートアーム
３０  第２対サポートアーム
３１  内側サポートアーム
３２  外側サポートアーム
４０  枢軸部
４１  枢軸
４１１  膨張端部
４１２  圧接面
４１３  端部
４１４  ネジ山
４１５  ネジ孔
４１６  切削平面
４２  ラチェット装置
４２１  ラチェット歯
４２１１  起点位置
４２１２  終点位置
４２２  凸塊
４２３  位置制限溝
４３  押さえ装置
４３１  圧接部
４３２  凸アーム
４４  爪装置
４４１  ラチェット爪
４４２  横ピン
４４３  後ろ凸脊
４４４  前凸脊
４５  弾性装置
５１  ワッシャ
５２  ワッシャ
５３  ワッシャ
５４  固定装置
６０  被支持装置
【図１】
0003106739.tif 000003
【図２】
0003106739.tif 000004
【図３】
0003106739.tif 000005
【図４】
0003106739.tif 000006
【図５】
0003106739.tif 000007
【図６】
0003106739.tif 000008
【図７】
0003106739.tif 000009